(57)【要約】【課題】本発明は、腹当て部及び背当て部と漏れ防止部材とを容易に脱着可能であるように構成された介護用オムツを提供する。【解決手段】本発明の介護用オムツは、臍下付近を覆う腹当て部材と、臀部を覆う背当て部材と、使用者の排泄物を収容する収容構造体と、腹当て部材及び背当て部材に取り付けられ、収容構造体が取り付けられる開口部を有し、人体の股間及び股間の周辺に密着して収容構造体からの排泄物の漏れを防止する漏れ防止部材を含む、股間及び股間の周辺を覆うように構成された股間被覆部材と、が設けられた介護用オムツであって、腹当て部材及び背当て部材を、股間被覆部材に着脱自在に装着可能な着脱手段を備えている。【選択図】図１
2011229820.tif 000002
【特許請求の範囲】
【請求項１】
臍下付近を覆う腹当て部材と、臀部を覆う背当て部材と、使用者の排泄物を収容する収容構造体と、前記腹当て部材及び前記背当て部材に取り付けられ、前記収容構造体が取り付けられる開口部を有し、人体の股間及び股間の周辺に密着して前記収容構造体からの前記排泄物の漏れを防止する漏れ防止部材を含む、前記股間及び前記股間の周辺を覆うように構成された股間被覆部材と、が設けられた介護用オムツであって、
前記腹当て部材及び前記背当て部材を、前記股間被覆部材に着脱自在に装着可能な着脱手段を備えていることを特徴とする介護用オムツ。
【請求項２】
前記漏れ防止部材は、前記開口部を囲むように形成された壁状の形状を有しており、
前記股間被覆部材は、所定の幅を有し、かつ前記漏れ防止部材の周囲を縁取るように設けられた縁取り部を備えている請求項１に記載の介護用オムツ。
【請求項３】
前記着脱手段は、前記股間被覆部材の一部分に設けられた第１の貼着部材と、前記腹当て部材及び前記背当て部材の一部分にそれぞれ設けられた第２の貼着部材と、を備え、
前記腹当て部材及び前記背当て部材は、前記第１の貼着部材と前記第２の貼着部材とを連結することにより、前記股間被覆部材に装着される請求項１または２に記載の介護用オムツ。
【請求項４】
前記腹当て部材及び前記背当て部材は、それぞれ別個に前記股間被覆部材に装着されるように構成されている請求項1乃至３のいずれか一項に記載の介護用オムツ。
【請求項５】
前記腹当て部材及び前記背当て部材は、一体化されて前記股間被覆部材に装着されるように構成されている請求項1乃至３のいずれか一項に記載の介護用オムツ。
【請求項６】
前記収容構造体は、使用者の汚物を収集するための汚物収集トレイを備え、前記汚物収集トレイは、前記股間被覆部材の前記開口部に密閉するように、接着剤により接着して取付けられる請求項１乃至５のいずれか一項に記載の介護用オムツ。
【請求項７】
前記収容構造体は、使用者の汚物を収集するための汚物収集トレイを備え、前記汚物収集トレイは、前記収容構造体に着脱自在に装着される請求項１乃至５のいずれか一項に記載の介護用オムツ。
【請求項８】
前記収容構造体は、アタッチメントを備え、前記股間被覆部材の前記開口部に密閉するように、該収容構造体の該アタッチメントを前記股間被覆部材に係合することにより、前記股間被覆部材に着脱自在に装着される請求項１乃至７のいずれか一項に記載の介護用オムツ。
【請求項９】
前記アタッチメントは、フランジで構成されており、前記股間被覆部材の前記開口部に密閉するように、前記収容構造体のフランジ部を前記股間被覆部材のフランジ部と固定手段で固定することにより、前記股間被覆部材に着脱自在に装着される請求項８に記載の介護用オムツ。
【請求項１０】
前記アタッチメントは、ジッパーで構成されており、前記股間被覆部材の前記開口部に密閉するように、該収容構造体のジッパー部を前記股間被覆部材のジッパー部と掛合することにより、前記股間被覆部材に着脱自在に装着される請求項８に記載の介護用オムツ。
【請求項１１】
前記漏れ防止部材は、撥水性を有し、かつ洗浄可能な素材により形成される請求項１乃至１０のいずれか一項に記載の介護用オムツ。
【請求項１２】
前記漏れ防止部材は、外側を覆う外面材と、外面材によって包含されるクッション材と、を備え、前記外面材は、伸縮性を有する発泡合成樹脂によって形成され、当該外面材の表面は、撥水性を有する、請求項１乃至１１のいずれか一項に記載の介護用オムツ。
【請求項１３】
前記発泡合成樹脂は、発泡ネオプレン系、すなわち、発泡クロロプレン系である請求項１２に記載の介護用オムツ。
【請求項１４】
前記着脱手段は、ベルクロ、すなわち、マジックテープ（登録商標）であることを特徴とする請求項1乃至１３のいずれか一項に記載の介護用オムツ。
【発明の詳細な説明】
【技術分野】
【０００１】
本発明は、病院や家庭等において歩行不能な病人または寝たきりの老人に好適に用いることができるように構成された介護用オムツに関する。
【背景技術】
【０００２】
近年、排泄時の介護を要する者に用いられる各種の排泄物処理システムが提案されている。この種の排泄物処理システムとしては、例えば、使用者の股間にあてがわれる収容カップを有する介護用オムツと、ホースを介して収容カップに接続され、かつ収容カップ内部の排泄物を吸引する排泄物処理装置と、使用者が横たわる介護用マットとを備え、介護用マットに使用者が横たわった姿勢で排泄を行えるようにしたものが知られている（例えば、特許文献１及び特許文献２参照）。
【先行技術文献】
【特許文献】
【０００３】
【特許文献１】特開２００２−１５３４９８号公報
【特許文献２】特開２００９−０３９４０５号公報
【発明の概要】
【発明が解決しようとする課題】
【０００４】
上述した排泄物処理システムで用いられる従来の介護用オムツは、腹当て部と、背当て部と、カップ部を含む収容カップと、を備えている。収容カップは、腹当て部と背当て部との間の股間周辺をくり抜き、このくり抜いた箇所に接着剤等により取付けられるように構成されている。収容カップは、その周囲に、伸縮性を有する襞状の漏れ防止部材を備えている。漏れ防止部材は、収容カップのカップ部内及び収容カップに取付けられた汚物収集トレイ内の汚物等の排泄物が収容カップの外部に漏れることを防止するように構成されている。そして、腹当て部と背当て部とは、使用者が横たわった状態で装着を行えるように、一般的なショートパンツ（ショーツ）の両腰脇付近を大腿部方向に裂いて、収容カップと一体的に形成されている。
この構成では、腹当て部と背当て部とが収容カップと一体的に形成されているので、漏れ防止部材を使用者の身体に十分フィットさせることが難しかった。その結果、使用者が動くと、漏れ防止部材と使用者の身体との隙間から排泄物等の漏れが生じることがあった。
そこで、例えば、特許文献２に記載されているように、漏れ防止部材を使用者の身体に十分フィットさせることにより、収容カップの股間への密着性を向上させて、収容カップ内の排泄物の漏れを抑えた介護用オムツが提案されている。
しかしながら、上述した従来の介護用オムツでは、腹当て部及び背当て部が、収容カップと一体化されているので、腹当て部及び背当て部を収容カップから取り外すことができないと共に、汚物収集トレイが収カップに接着されているために汚物収集トレイを収容カップから取り外すことができず、その結果、腹当て部、背当て部、汚物収集トレイが汚れたり、破損した場合に、それらを収容カップから取り外して洗濯したり、取り替えたりすることができないという問題点があった。
【０００５】
本発明は、上記従来の介護用オムツにおける問題点に鑑みてなされたものであり、腹当て部及び背当て部を容易に着脱可能であるように構成された介護用オムツを提供することをその目的とする。
【課題を解決するための手段】
【０００６】
本発明の上記目的は、臍下付近を覆う腹当て部材と、臀部を覆う背当て部材と、使用者の排泄物を収容する収容構造体と、腹当て部材及び背当て部材に取付けられ、収容構造体が取付けられる開口部を有し、人体の股間及び股間の周辺に密着して収容構造体からの排泄物の漏れを防止する漏れ防止部材を含む、股間及び股間の周辺を覆うように構成された股間被覆部材と、が設けられた介護用オムツであって、腹当て部材及び背当て部材を、股間被覆部材に着脱自在に装着可能な着脱手段を備えている介護用オムツによって達成される。
【０００７】
本発明の介護用オムツでは、漏れ防止部材は、開口部を囲むように形成された壁状の形状を有しており、股間被覆部材は、所定の幅を有し、かつ漏れ防止部材の周囲を縁取るように設けられた縁取り部を備えて構成されてもよい。
【０００８】
本発明の介護用オムツでは、着脱手段は、股間被覆部材の一部分に設けられた第１の貼着部材と、腹当て部材及び背当て部材の一部分にそれぞれ設けられた第２の貼着部材と、を備え、腹当て部材及び背当て部材は、第１の貼着部材と第２の貼着部材とを連結することにより、股間被覆部材に装着されるように構成されてもよい。
【０００９】
本発明の介護用オムツでは、腹当て部材及び背当て部材は、それぞれ別個に股間被覆部材に装着されるように構成されてもよい。
【００１０】
本発明の介護用オムツでは、腹当て部材及び背当て部材は、一体化されて股間被覆部材に装着されるように構成されてもよい。
【００１１】
本発明の介護用オムツでは、収容構造体は、使用者の汚物を収集するための汚物収集トレイを備え、汚物収集トレイは、股間被覆部材の開口部に密閉するように、接着剤により接着して取付けられるように構成してもよい。
【００１２】
本発明の介護用オムツでは、収容構造体は、使用者の汚物を収集するための汚物収集トレイを備え、汚物収集トレイは、収容構造体に着脱自在に装着されるように構成してもよい。
【００１３】
本発明の介護用オムツでは、収容構造体は、アタッチメントを備え、股間被覆部材の開口部に密閉するように、該収容構造体の該アタッチメントを股間被覆部材に係合することにより、股間被覆部材に着脱自在に装着されるように構成してもよい。
【００１４】
本発明の介護用オムツでは、アタッチメントは、フランジで構成されており、股間被覆部材の開口部に密閉するように、収容構造体のフランジ部を股間被覆部材のフランジ部と固定手段で固定することにより、股間被覆部材に着脱自在に装着されるように構成してもよい。
【００１５】
本発明の介護用オムツでは、アタッチメントは、ジッパーで構成されており、股間被覆部材の開口部に密閉するように、該収容構造体のジッパー部を股間被覆部材のジッパー部と掛合することにより、股間被覆部材に着脱自在に装着されるように構成してもよい。
【００１６】
本発明の介護用オムツでは、漏れ防止部材は、撥水性を有し、かつ洗浄可能な素材により形成されてもよい。
【００１７】
本発明の介護用オムツでは、漏れ防止部材は、外側を覆う外面材と、外面材によって包含されるクッション材と、を備え、外面材は、伸縮性を有する発泡合成樹脂によって形成され、当該外面材の表面は、撥水性を有するように構成されてもよい。
【００１８】
本発明の介護用オムツでは、発泡ネオプン系、すなわち、発泡クロロプレン系であってもよい。
【００１９】
本発明の介護用オムツでは、着脱手段は、ベルクロ、すなわち、マジックテープ（登録商標）であってもよい。
【図面の簡単な説明】
【００２０】
【図１】本発明による介護用オムツの一実施形態の構成を示す概略構成図である。
【図２】図１のオムツを構成する股間被覆部材と、収容構造体と、収容構造体に装着された汚物収集トレイとを一体になるように取付けた状態を示す図である。
【図３】図２の股間被覆部材と収容構造体とを分離した状態を示す図である。
【図４】図２の股間被覆部材の内側部分を展開して示す略構成図である。
【図５】図４の破線Ａ−Ａで示した部分における漏れ防止部材部及び股間被覆部材の縁取り部分の一部の断面を示す断面図である。
【図６】図１の介護オムツの外側部分を展開して示す構成図である。
【図７】図１の介護オムツを構成する腹当て部材及び背当て部材を示す図である。
【図８】図１の介護用オムツの内側の構成を示す図である。
【図９】図１の介護用オムツを用いた排泄物処理システムの一構成例を示す図である。
【発明を実施するための形態】
【００２１】
以下、図面を参照して本発明による介護用オムツを説明する。
図１は、本発明による介護用オムツ（以下、「オムツ」と略称する）の一実施形態であるオムツ２０の構成を示す概略構成図である。
図１に示すオムツ２０は、使用者２に装着された状態で、股下が短く膝上丈の、いわゆるショーツ（ショートパンツ）を模した外観を有し、その主要構成部分として、少なくとも使用者２の臍下付近を覆うための腹当て部材２１と、少なくとも使用者２の臀部を覆うための背当て部材２２と、股間被覆部材２３とを備えている。股間被覆部材２３には、使用者２の排泄物を収容するための収容構造体２４が設けられている。
【００２２】
以下、上記各構成部分について詳細に説明する。
図２は、図１のオムツ２０を構成する股間被覆部材２３に収容構造体２４を取付けた状態を示す図であり、図３は、図２の股間被覆部材２３から収容構造体２４を取り外した状態を示す図である。
図１に示すように、股間被覆部材２３は、腹当て部材２１及び背当て部材２２に取付けられ、人体の股間及び当該股間の周辺部分（股間部位から臀部の部位に至る部分）を覆うように構成されている。
また、股間被覆部材２３は、図２及び図３に示すように、収容構造体２４が取付けられる開口部ＯＰＥＮと、略椀型に湾曲した形状のカップ部２３Ａと、開口部ＯＰＥＮに取付けられた収容構造体２４を股間被覆部材２３に装着するように構成されたアタッチメント・フランジ２３Ｂと、股間被覆部材２３の周縁に設けられ、かつ所定の幅を有する縁取り部２３Ｃと、を備えている。
【００２３】
図３に示すように、収容構造体２４は、アタッチメントＡＴにより、股間被覆部材２３の開口部ＯＰＥＮに、着脱自在に取付けられる。
本実施形態では、アタッチメントＡＴは、フランジで構成されていて、股間被覆部材２３には、洩れを防止するためのクッション材が付設されたアタッチメント・フランジ部２３Ｂが設けられている。また、収容構造体２４には、トレイ・フランジ部２４Ａが設けられている。ただし、クッション材はトレイ・フランジ部２４Ａに付設されていてもよい。そして、アタッチメント・フランジ部２３Ｂとトレイ・フランジ部２４Bが固定手段であるクリップ等により固定するように構成されている。
【００２４】
別の実施形態として、アタッチメントＡＴは、ジッパー、例えば、線ファスナーで構成されていて、股間被覆部材２３には、ジッパー部オス（またはメス）が設けられている。また、収容構造体２４には、ジッパー部メス（またはオス）が設けられている。そして、オス及びメスによる一対のジッパー部により収容構造体２４が股間被覆部材２３の開口部ＯＰＥＮに、着脱自在に取付けられるように構成されてもよい。
【００２５】
また、収容構造体２４には、使用者２の汚物を収集するための汚物収集トレイ２５が設けられ、この汚物収集トレイ２５は、収容構造体２４と一体に形成されている。この汚物収集トレイ２５は、股間被覆部材２３の開口部ＯＰＥＮに密閉するように、接着剤により接着して取付けられて構成してもよいし、収容構造体２４と着脱自在に装着できるように構成してもよい。
更に、図３に示すように、汚物収集トレイ２５には、スペーサＳＰＣが装着されるようになっている。このスペーサＳＰＣは、腹当て部材２１並びに背当て部材２２を取り付けた後に装着される。
【００２６】
図４は、人体と接触する側から見た、股間被覆部材２３の内側部分の構成を示す図である。
図４に示すように、オムツ２０は、股間被覆部材２３の内側部に、弾力性及び伸縮性を有する材料で股間被覆部材２３に一体的に形成され、かつ人体の股間部位に密着してカップ部２３Ａからの排泄物及び汚物収集トレイ２５に収容された汚物、等の漏れを防止する漏れ防止部材２６を備えている。
股間被覆部材２３のカップ部２３Ａの内側面（内面）は、例えば、伸縮素材にチタンメタル特殊表面加工（メセル構造）、例えば山本化学工業（株）によるもの、を施すことによって撥水加工処理が施されており、これによりカップ部２３Ａの縫合部（図示せず）からの水漏れを防止することができる。
上記チタンメタル特殊表面加工は、撥水効果と共に抗菌効果を有するので、カップ部２３Ａの内面への汚水等の付着が防止され、カップ部２３Ａ内でのバクテリア等の細菌の増殖が防止され、その結果、カップ部２３Ａの内部を衛生的に保つことができるようになっている。
【００２７】
図５は、図４の破線Ａ−Ａで示した部分における、漏れ防止部材部２６及び股間被覆部材２３の縁取り部分２３Ｃの一部の断面を示す概略断面図である。
図５に示すように、股間被覆部材２３の縁取り部分２３Ｃの内側面２３ＣＩＮＳ（即ち、漏れ防止部材２６が形成されている側）の幅Ｗ（即ち、漏れ防止部材２６の縁部から縁取り部分２３Ｃの外縁部まで長さ）は、３０ミリメートル以上が好ましく、本実施形態では、４０ミリメートルに設定されている。
【００２８】
また、図５に示すように、漏れ防止部材２６の内側部分（即ち、使用者２に直接装着される側の部分）は、漏れ防止部材２６の内側部分を覆う内面材２７ＩＮと、内面材２７ＩＮによって包含されるクッション材２８と、クッション材２８を内面材２７ＩＮと挟むようにして密閉する外面材２７ＯＵＴとを備えている。
内面材２７ＩＮは、ウェットスーツ等に用いられる伸縮性のある発泡合成樹脂、例えば山本化学工業（株）製のＳＣＳメタル／スライス素材によって形成され、外面材２７ＯＵＴは、例えば山本化学工業（株）製のナイロンジャージ／スムース素材によって形成され、その表面は、撥水性を有すべく防水処理加工が施されている。
【００２９】
クッション材２８は、弾力性のある素材、例えば、発泡ポリウレタン或いは低反発発泡ポリウレタン、発泡ポリエチレン或いは低反発発泡ポリエチレン、等によって形成されている。
本実施形態の構成では、漏れ防止部材２６は、クッション材２８を内面材２７ＩＮで包み、この内面材２７ＩＮの両縁部２７Ａを、外面材２７ＯＵＴと縫合または接着によって固定することにより形成されている。
オムツ２０を使用者２に装着したときに、縁取り部２３Ｃが使用者２の身体の股間、臀部、及び腿と密着して、漏れ防止部材２６を使用者２の身体に押し付けることにより、漏れ防止部材２６が使用者２の身体にフィットするように構成されており、カップ部２３Ａからの排泄物及び汚物収集トレイ２５に収容された汚物、等が漏れ防止部材２６を通り抜けて外部に漏れることを完全に防止するように構成されている。
【００３０】
図６は、図１の介護オムツの股間被覆部材２３の外側部分を展開した概略構成図である。
股間被覆部材２３の外面材２７ＯＵＴは、例えば、ナイロンジャージ／スムース素材で形成されており、股間被覆部材２３の縁取り部２３Ｃの外側表面には、カップ部２３Ａの上端部からカップ部２３Ａの形状の一部分に沿って、着脱手段であるベルクロファスナー（いわゆる、マジックテープ（登録商標））ＢＦの第1の貼着手段であるフック面２３Ｄが付設されていると共に、収容構造体２４の汚物収集トレイ２５側の縁部略中央から汚物収集トレイ２５の背面部２５Ａの形状の一部分に沿って、同様に、ベルクロファスナーＢＦのフック面２３Ｄが付設されている。
【００３１】
図７は、図１の介護オムツ２０を構成する腹当て部材２１（図の上部を参照）及び背当て部材２２（図の下部を参照）を示す図である。図７に示すように、本実施形態では、腹当て部材２１及び背当て部材２２は、別個のものとしてそれぞれ独立した形で示されている。
使用者２の臍下付近を覆う腹当て部材２１は、股間被覆部材２３側の面が第２の貼着手段であるループ面２１ＲＡＳとして形成され、カップ部２３Ａの上端部からカップ部２３Ａの形状の一部分に沿って、股間被覆部材２３の縁取り部２３Ｃの外側表面に備えられたベルクロファスナーＢＦのフック面２３Ｄと止着するように構成されている。
【００３２】
別の実施形態として、腹当て部材２１の股間被覆部材２３側の面に設けられたベルクロファスナーＢＦのループ面２１ＲＡＳは、ほぼ腹当て部材２１の股間被覆部材２３側の面全体を覆っていて、股間被覆部材２３の縁取り部２３Ｃの外側表面に備えられたベルクロファスナーＢＦのフック面２３Ｄと止着する際に、腹当て部材２１の取付け位置を使用者２の体格に適合するように調節可能に構成されている。
【００３３】
使用者２の臀部を覆う背当て部材２２は、股間被覆部材２３側の面が第２の貼着手段であるループ面２２ＲＡＳとして形成され、汚物収集トレイ２５側の縁部略中央から汚物収集トレイ２５の背面部２５Ａの形状の一部分に沿って、股間被覆部材２３の縁取り部２３Ｃの外側表面に備えられたベルクロファスナーＢＦのフック面２３Ｄと止着するように構成されている。
【００３４】
別の実施形態として、背当て部材２２の股間被覆部材２３側の面に設けられたベルクロファスナーＢＦのループ面２２ＲＡＳは、ほぼ背当て部材２２の股間被覆部材２３側の面全体を覆っていて、股間被覆部材２３の縁取り部２３Ｃの外側表面に備えられたベルクロファスナーＢＦのフック面２３Ｄと止着する際に、背当て部材２２の取付け位置を使用者２の体格に適合するように調節可能に構成されている。
【００３５】
従って、腹当て部材２１及び背当て部材２２は、介護用オムツ２０を使用者２の体格（即ち、体形やサイズ）に合せてそれらの取付け位置を調節することができるので、オムツ２０を、使用者２の体格に応じて密着させて、使用者２に装着することができる。
【００３６】
上述のように構成することによって、腹当て部材２１と、背当て部材２２とにより、漏れ防止部材２６を股間及び股間の周辺に密着することができ、股間被覆部材２３を使用者２の体格に応じて確実に保持することができ、その結果、オムツ２０のずれや外れを防ぐことができると共に、股間被覆部材２３及び収容構造体２４からの排泄物が漏れ防止部材２６を通り抜けて外部に漏れることを完全に防ぐことができる。
【００３７】
別の実施形態として、ループ面とフック面とを逆に配置してもよい。即ち、股間被覆部材２３の縁取り部２３Ｃの外側面上に設けられたベルクロファスナーＢＦをループ面とし、腹当て部材２１及び背当て部材２２は、股間被覆部材２３側の面にそれぞれ設けられたベルクロファスナーＢＦをフック面として構成してもよい。
【００３８】
腹当て部材２１及び背当て部材２２は、通気性が良く、かつ、水分を通さない素材から形成されており、使用者２が長時間装着し続けても、発汗によるムレが防止されるようになっている。
【００３９】
ここで、図１及び図７を参照して、背当て部材２２と、腹当て部材２１とを説明する。
背当て部材２２は、使用者２の腰回り方向に長く形成され、図１及び図２に示すように、使用者２がオムツ２０を装着した場合、背当て部材２２の左右の両端部２２Ａ、２２Ｂは、それぞれ使用者２の腰に巻きつけられ、これら両端部２２Ａ、２２Ｂ同士が当該使用者２の腹部の上で重ねられる。
【００４０】
腹当て部材２１は、腹当て部材２１の胸側（即ち、上縁部側）の両角部２１Ｂ、２１Ｃの内面には第１止着部４５Ａ、４５Ｂがそれぞれ設けられている。
この第１止着部４５Ａ、４５Ｂは、上記両角部２１Ｂ、２１Ｃには、それぞれベルクロファスナーＢＦのフック面を貼着して形成されている。そして、第１止着部４５Ａ、４５Ｂのフック面が、背当て部材２２の腹当て部材２１側の面の一部分に形成されているベルクロファスナーＢＦのループ面に止着するように構成されている。
第１止着部４５Ａ、４５Ｂは、腹当て部材２１を胸方向（図１のＸ方向）に引張り、漏れ防止部材４１を当該胸方向に伸縮させた状態で、腹当て部材２１を背当て部材２２に止着するものである。
【００４１】
腹当て部材２１は、腹当て部材２１の股間被覆部材２３側（即ち、下縁部側）の両端部２１Ｄ、２１Ｅの内面には、第２止着部４６Ａ、４６Ｂがそれぞれ設けられている。
第２止着部４６Ａ、４６Ｂは、腹当て部材２１の両端部２１Ｄ、２１Ｅをそれぞれ胴回り方向（図１のＹ方向）に引張り、漏れ防止部材４１を当該胴回り方向に伸縮させた状態で、腹当て部材２１を背当て部材２２に止着するものである。
第２止着部４６Ａ、４６Ｂは、上記した第１止着部４５Ａ、４５Ｂよりも胴回り方向に突出して形成されている。このため、第１止着部４５Ａ、４５Ｂを背当て部材２２に止着した後であっても、第２止着部４６Ａ、４６Ｂを胴回り方向に引くことにより、漏れ防止部材２６を当該胴回り方向に容易に伸縮させることができ、この状態で第２止着部４６Ａ、４６Ｂを背当て部材２２に止着することができる。
【００４２】
腹当て部材２１は、上記第１止着部４５Ａ、４５Ｂと第２止着部４６Ａ、４６Ｂとの間に、第３止着部４７Ａ、４７Ｂを備えている。
第３止着部４７Ａ、４７Ｂは、腹当て部材２１を背当て部材２２により強固に止着するためのものである。これら第２止着部４６Ａ、４６Ｂ及び第３止着部４７Ａ、４７Ｂは、腹当て部材２１の該当部分にそれぞれベルクロファスナーＢＦのフック面を貼着して形成されている。
そして、第２止着部４６Ａ、４６Ｂ及び第３止着部４７Ａ、４７Ｂのフック面が、腹当て部材２１の背当て部材２２側の面（股間被覆部材２３側の面）の一部に形成されているベルクロファスナーＢＦのループ面に止着するように構成されている。
【００４３】
使用者２にオムツ２０を装着する場合には、まず、使用者２の臀部を覆う背当て部材２２を股間被覆部材２３の外側面に装着する。背当て部材２２の装着は、汚物収集トレイ２５側の縁部略中央から汚物収集トレイ２５の背面部２５Ａの形状の一部分に沿って、その股間被覆部材２３側の面に備えられたベルクロファスナーＢＦのループ面を、股間被覆部材２３の縁取り部２３Ｃの外側表面に備えられたベルクロファスナーＢＦのフック面と止着することにより行われる。
【００４４】
次に、使用者２の臍下付近を覆う腹当て部材２１を股間被覆部材２３に装着する。腹当て部材２１の装着は、カップ部２３Ａの上端部からカップ部２３Ａの上部形状の一部分に沿って、その股間被覆部材２３側の面に備えられたベルクロファスナーＢＦのループ面を、股間被覆部材２３の縁取り部２３Ｃの外側表面に備えられたベルクロファスナーＢＦのフック面と止着することにより行われる。
【００４５】
そして、収容構造体２４を股間にあてがう一方、従来のオシメをはかすように、背当て部材２２を臀部にあてがい、この背当て部材２２の両端部２２Ａ、２２Ｂを腹部の上で重ね合わせる。
【００４６】
それから、腹当て部材２１を臍下付近にあてがい、この腹当て部材２１を胸方向に引張り、漏れ防止部材２６を当該胸方向に伸縮させた状態で、腹当て部材２１の第１止着部４５Ａ、４５Ｂを背当て部材２２に止着する。
【００４７】
続いて、腹当て部材２１の両端部２１Ｄ、２１Ｅをそれぞれ胴回り方向に引張り、漏れ防止部材２６を当該胴回り方向に伸縮させた状態で、第２止着部４６Ａ、４６Ｂを背当て部材２２に止着する。最後に第３止着部４７Ａ、４７Ｂを背当て部材２２に止着し、オムツ２０の装着を終了する。
【００４８】
本実施形態では、腹当て部材２１及び背当て部材２２を、股間被覆部材２３に着脱自在に装着することができるように構成されているので、腹当て部材２１及び背当て部材２２を別々に取り替えたり、或いは使用頻度に応じて別々に付け替えたりすることができると共に、必要に応じて腹当て部材２１及び背当て部材２２を洗濯したり、洗浄したりすることができる。
なお、別の実施形態として、腹当て部材２１及び背当て部材２２を一体として構成してもよい。
【００４９】
（ａ）腹当て部材２１及び背当て部材２２が各々生地１枚で形成されている場合には、背当て部材２２は、その裏側面としてベルクロのループ面の機能を有する生地、例えば、東レのフレンチパイル7187Ｅを前面に使用するか、端部２２Ｄ２が固定される部分にベルクロのループ面を有する生地、例えば、東レのフレンチパイル7187Ｅを使用し、残りの部分には、水分拡散が良く、伸縮性に富む、例えば、小松精練Mawus 2475、もしくは、小松精練三層ラミネート/スムースを使用するのがよい。背当て部材２２の端部２２Ｄ２は、ベルクロのフック面を有するものであり、背当て部材２２の裏側に固定される。即ち、ベルクロのループ面の機能を有する生地を採用することで、固定位置の自由度が生まれ、胴回りの違いに対応することが可能になる。
【００５０】
また、腹当て部材２１の端部４５Ａ、４６Ａ、４７Ａ、４５Ｂ、４６Ｂ、４７Ｂもベルクロのフック面を有するものであり、背当て部材２２の裏側に自由度を持って固定される。
腹当て部材２１の生地は、同じ生地を使用してもよし、生地材料は、特に限定されない。但し、腹当て部材２１及び背当て部材部２２は、共に吸収水分の拡散性に優れている、即ち、湿気透過性が優れていて、肌荒れを起こさないような生地が望ましい。
【００５１】
（ｂ）腹当て部材２１及び背当て部材２２が各々２重に形成されている場合には、腹当て部材２１の表側生地は、吸収水分の拡散性に優れている、即ち、湿気透過性が優れていて、肌荒れを起こさない生地、例えば、小松精練Mawus 2475であり、裏側生地は、湿気を通すが、水分を通さない生地、例えば、小松精練SAITOS TH430を使用するのがよい。
背当て部材２２は、その表側生地としては、腹当て部材２１と同様な生地、例えば、小松精練Mawus 2475を全面に使用してもよいが、その裏側は、端部２２Ｄ２、端部４５Ａ、４６Ａ、４７Ａ、４５Ｂ、４６Ｂ、４７Ｂが固定される部分にベルクロのループ面を有する生地、例えば、東レのフレンチパイル7187Ｅを使用し、残りの部分には、湿気を通すが、水分を通さない生地、例えば、小松精練SAITOS TH430を使用するのがよい。
【００５２】
収容構造体２４に設けられた、使用者２の汚物を収集するための汚物収集トレイ２５は、プラスチックなどの樹脂材から形成されており、多少の押圧力が加わった場合でも樹脂材の弾性により、その押圧力を吸収することができるように構成されている。
【００５３】
汚物収集トレイ２５は、図１に示すように、使用者２の臀部に対向する背面部２５Ａと、股間に対向する底面部２５Ｂとを備え、断面略Ｌ字状に形成されている。
底面部２５Ｂの外側には、汚物吸引ホース接続口２９、洗浄水ホース接続口３０、及び送風ホース接続口３１が一体化構造を形成すべく設けられており、汚物吸引ホース接続口２９、洗浄水ホース接続口３０、及び送風ホース接続口３１には、後述する汚物吸引ホース４、洗浄水ホース５及び送風ホース６がそれぞれ接続されるように構成されている。
【００５４】
図８は、図１の介護用オムツ２０の内側の構成を示す概略構成図である。
図８に示すように、汚物収集トレイ２５の底面部２５Ｂの内側には、洗浄水ホース接続口３０（図１）と連通し、洗浄水ホース接続口３０を通じて供給された洗浄水を噴射する洗浄口３２ａ、３２ｂと、汚物吸引ホース接続口２９（図１）に連通する汚物吸引口３３と、がそれぞれ形成されている。
【００５５】
汚物吸引口３３は、使用者２がオムツ２０を装着して仰向けに横たわった場合、汚物収集トレイ２５の底面部２５Ｂの高さが最も低い位置に対応する底面部２５Ｂと背面部２５Ａとの連結部分に形成されている。これにより、汚物収集トレイ２５上の排泄物等は、汚物吸引口３３から汚物吸引ホース４を介して、ほとんどすべて後述する排泄物処理装置に吸引される。
上記構造を有するので、汚物収集トレイ２５上には排泄物等がほとんど残留することがないので、汚物収集トレイ２５上を清潔に保つことができる。
【００５６】
上述した汚物吸引ホース４は、剛性を有する屈曲管で形成されるのが好ましく、それにより、排泄物処理装置が汚物を空気の圧力差で吸引しても管径が変化しないように構成される。
【００５７】
洗浄口３２ａは、使用者２の肛門を洗浄するためのものであり、汚物吸引口３３付近に設けられている。洗浄口３２ａは、洗浄口３２ａから噴射された洗浄水が使用者２の肛門に向くような位置に配設されている。
【００５８】
洗浄口３２ｂは、使用者２が女性である場合に女性の陰部を洗浄するためのものであり、使用者２の下腹部に相当する位置付近に配設されている。
また、洗浄水として、使用者２の不快感を招かぬよう適度な温度の温水を使用することが好ましい。
【００５９】
上述したように、汚物収集トレイ２５には、女性の陰部（特に、尿内、膣等）を洗浄するための洗浄口３２ｂが設けられているので、使用者２が女性である場合には、排尿後も陰部を清潔に保ち、使用者２に不快感を与えることがないように構成されている。
【００６０】
なお、使用者２が男性である場合を考慮して、洗浄水ホース５と洗浄口３２ｂとの間に開閉弁等の遮蔽手段を設けて、洗浄口３２ｂからの洗浄水噴射を選択的に遮蔽することができるように構成するのがよい。
【００６１】
洗浄口３２ａ、３２ｂには、洗浄水のみならず送風ホース６を介して空気が供給されるように構成されている。即ち、洗浄水により使用者２の各部位を洗浄したあと、空気（乾燥空気）を吹き付けることにより、使用者２の各部位を乾燥させるようになっている。この場合、空気を供給するに先立って、水抜き手段を用いて洗浄水ホース５内に残留する洗浄水を吸引して水抜きを行うのが好ましい。
【００６２】
汚物収集トレイ２５の背面部２５Ａの内側には、使用者２の尾てい骨の近傍に対応する位置に、汚物吸引口３３に向けて洗浄口３４が配設されている。洗浄口３４には、洗浄水ホース接続口３０及び送風ホース接続口３１を介して、排泄物処理装置から空気と洗浄水とが混合されて供給され、この混合された空気及び洗浄水により、汚物収集トレイ２５上の排泄物等が汚物吸引口３３の方向へ押し流されるように構成されている。更に、汚物収集トレイ２５の背面部２５Ａの内側には、洗浄口３４と汚物吸引口３３との間に、排泄の有無を検出するための排泄物検知センサ３５が配設されている。排泄物検知センサ３５は、後述する排泄物処理装置の制御部に連結されており、背面部２５Ａ上に排泄が検出されると、制御部が排泄物処理装置の動作を開始するように構成されている。
【００６３】
図９は、本発明による介護用オムツを用いた排泄物処理システムの一構成例を示す概略構成図である。
図９に示すように、排泄物処理システム１は、使用者２が横たわった姿勢で排泄を衛生的に行えるようにしたものであり、使用者２が横たわるマット（介護用マット）３と、使用者２の腰臀部に装着される上述した本発明によるオムツ２０と、オムツ２０内部の排泄物または汚水を吸引し蓄積する排泄物処理装置５０とを備えている。
【００６４】
オムツ２０と排泄物処理装置５０とは、汚物吸引ホース４、洗浄水ホース５及び送風ホース６により接続される。排泄物処理装置５０は、洗浄水ホース５や送風ホース６を通じてオムツ２０内に洗浄水や空気を供給し、汚物吸引ホース４を通じてオムツ２０内の排泄物または汚水（以下、排泄物等という）を吸引する。
【００６５】
上述した実施形態は、あくまでも本発明の一態様にすぎず、本発明は、これに限定されるものではなく、本発明の範囲内で任意に変形可能であることは勿論である。
【符号の説明】
【００６６】
２０ オムツ
２１ 腹当て部材
２２ 背当て部材
２３ 股間被覆部材
２３Ａ  カップ部
２３Ｂ  アタッチメント・フランジ
２３Ｃ  縁取り部
２３Ｄ  フック面
２４ 収容構造体
２４Ａ  トレイ・フランジ
２５ 汚物収集トレイ
２６ 漏れ防止部材
ＡＴ  アタッチメント
ＢＦ  マジックテープ（登録商標）
ＯＰＥＮ  開口部
ＳＰＣ  スペーサ
【図１】
2011229820.tif 000003
【図２】
2011229820.tif 000004
【図３】
2011229820.tif 000005
【図４】
2011229820.tif 000006
【図５】
2011229820.tif 000007
【図６】
2011229820.tif 000008
【図７】
2011229820.tif 000009
【図８】
2011229820.tif 000010
【図９】
2011229820.tif 000011